(57)【特許請求の範囲】
【請求項１】
スーパーフレームによりデータを送信する端末におけるシステム情報を更新する方法であって、前記方法は、
基地局から、スーパーフレームヘッダ（ＳＦＨ）により送信されるシステム情報のスケジューリング周期情報、及び前記システム情報の内容の変更を示す変更情報を受信することと、
前記変更情報に基づいて前記システム情報を更新することと
を含み、
前記ＳＦＨは、前記変更情報を含むプライマリＳＦＨ（Ｐ−ＳＦＨ）と、前記システム情報を含む少なくとも１つのサブパケットを含むセカンダリＳＦＨ（Ｓ−ＳＦＨ）とを含み、
前記スケジューリング周期情報は、前記少なくとも１つのサブパケットの送信周期を示し、
前記システム情報が更新されたシステム情報でないことを前記端末が検出した場合に、前記端末は、前記更新されたシステム情報に関する情報を受信するまで、起動した状態である、方法。
【請求項２】
前記Ｓ−ＳＦＨは、異なる送信周期を有する３つのサブパケットを含み、前記変更情報は、前記３つのサブパケットの変更状態をそれぞれ示す３つのビットで構成されるビットマップを含み、
前記サブパケットのいずれかの値が変更された場合、前記ビットマップの該当位置のビットがトグルされるか又は１に設定される、請求項１に記載の方法。
【請求項３】
前記変更情報を保存する段階をさらに含み、
前記Ｓ−ＳＦＨは、異なる送信周期を有する３つのサブパケットを含み、前記変更情報は、変更カウントと、前記３つのサブパケットの変更状態をそれぞれ示す３つのビットで構成されるビットマップとを含み、
前記システム情報を更新する段階は、
前記受信された変更カウントと保存された変更カウントとを比較することと、
前記受信された変更カウントと前記保存された変更カウントとの間に差がある場合、前記ビットマップに基づいて前記変更されたシステム情報を更新することと
を含む、請求項１に記載の方法。
【請求項４】
前記受信する段階は、前記少なくとも１つのサブパケットを含むスーパーフレームと前記スケジューリング周期情報を含むスーパーフレームとの間の間隔を示す送信オフセット情報をさらに受信する、請求項１に記載の方法。
【請求項５】
前記スケジューリング周期情報は、前記少なくとも１つのサブパケットを介して受信される、請求項１に記載の方法。
【請求項６】
システム情報を更新する装置であって、
前記装置は、
基地局からスーパーフレームヘッダ（ＳＦＨ）により送信されるシステム情報のスケジューリング周期情報、及び前記システム情報の内容の変更を示す変更情報を受信する受信機と、
前記変更情報に基づいて前記システム情報を更新する制御装置と
を含み、
前記ＳＦＨは、前記変更情報を含むプライマリＳＦＨ（Ｐ−ＳＦＨ）と、前記システム情報を含む少なくとも１つのサブパケットを含むセカンダリＳＦＨ（Ｓ−ＳＦＨ）とを含み、
前記スケジューリング周期情報は、前記少なくとも１つのサブパケットの送信周期を示し、
前記システム情報が更新されたシステム情報でないことを前記制御装置が検出した場合に、前記制御装置は、前記更新されたシステム情報に関する情報を受信するまで、システム動作モードをウェイクアップモードとして制御する、装置。
【請求項７】
前記Ｓ−ＳＦＨは、異なる送信周期を有する３つのサブパケットを含み、前記変更情報は、前記３つのサブパケットの変更状態をそれぞれ示す３つのビットで構成されるビットマップを含み、
前記サブパケットのいずれかの値が変更された場合、前記ビットマップの該当位置のビットがトグルされるか又は１に設定される、請求項６に記載の装置。
【請求項８】
前記変更情報を保存するメモリをさらに含み、
前記Ｓ−ＳＦＨは、異なる送信周期を有する３つのサブパケットを含み、前記変更情報は、変更カウントと、前記３つのサブパケットの変更状態をそれぞれ示す３つのビットで構成されるビットマップとを含み、
前記制御装置は、前記受信機により受信された変更カウントと前記メモリに保存された変更カウントとを比較し、前記受信された変更カウントと前記保存された変更カウントとの間に差がある場合、前記ビットマップに基づいて前記変更されたシステム情報を更新する、請求項６に記載の装置。
【請求項９】
前記受信機は、前記少なくとも１つのサブパケットを含むスーパーフレームと前記スケジューリング周期情報を含むスーパーフレームとの間の間隔を示す送信オフセット情報を受信する、請求項６に記載の装置。
【請求項１０】
前記スケジューリング周期情報は、前記少なくとも１つのサブパケットを介して受信される、請求項６に記載の装置。
【発明の詳細な説明】
【技術分野】
【０００１】
本発明は、広帯域無線通信システムにおけるシステム情報更新に関し、特に、スーパーフレームヘッダ（ＳｕｐｅｒＦｒａｍｅ  Ｈｅａｄｅｒ；  ＳＦＨ）で伝達されるシステム情報の更新方法及び装置に関する。
【背景技術】
【０００２】
広帯域無線通信システムにおける基地局と端末間の通信のためには、通信に必須のシステム情報を基地局から端末に送信しなければならない。基地局は、端末との通信に必須のシステム情報をスーパーフレームヘッダ（ＳＦＨ）で伝達し、付加的なシステム情報はブロードキャストメッセージにより送信することができる。
【０００３】
前記システム情報のうち、ＳＦＨで伝達される必須のシステム情報は、基地局と端末間の持続的な通信のために周期的に更新されなければならず、端末は、基地局から送信される必須のシステム情報が変更されたか否かを周期的に確認して復号化及び更新を行わなければならない。
【０００４】
しかしながら、システム情報が変更されていない場合も端末がＳＦＨなどで伝達されるシステム情報を常に復号化及び更新すると、端末の電力は不要に消費される。特に、スリープモード又はアイドルモードにある端末がＳＦＨで伝達されるシステム情報を復号化及び更新する場合、端末の電力消費の面で非効率的である。
【０００５】
そこで、端末の電力消費を抑えるために、より効率的なシステム情報更新方法が求められている。
【発明の概要】
【発明が解決しようとする課題】
【０００６】
本発明の目的は、端末が不要なシステム情報の復号化を行わないようにして電力消費を抑える効率的なシステム情報更新方法及び装置を提供することにある。
【課題を解決するための手段】
【０００７】
これら及び他の利点を実現して上記本発明の目的を達成するために、本明細書に具体化されかつ広く記載されているように、本発明は、スーパーフレームによりデータを送受信する端末のシステム情報更新方法を提供し、前記方法は、基地局からスーパーフレームヘッダ（ＳＦＨ）により送信されるシステム情報、前記システム情報のスケジューリング周期情報（ｓｃｈｅｄｕｌｉｎｇ  ｐｅｒｉｏｄｉｃｉｔｙ  ｉｎｆｏｒｍａｔｉｏｎ）、及び前記システム情報の変更状態を示す変更情報を受信する段階と、前記変更情報に基づいて前記システム情報を更新する段階とを含み、前記ＳＦＨは、前記変更情報を含むプライマリＳＦＨ（Ｐ−ＳＦＨ）と、前記システム情報を有する少なくとも１つのサブパケットを含むセカンダリＳＦＨ（Ｓ−ＳＦＨ）とを含み、前記サブパケットの送信周期を示すスケジューリング周期情報は、前記Ｐ−ＳＦＨ又は所定のサブパケットにより送信され、前記端末は、前記サブパケットにより送信される変更されたシステム情報が、前記スケジューリング周期情報が示す通りスケジューリングされていないことを検出した場合、前記変更されたシステム情報を受信するまで起動した状態であることを特徴とする。
【０００８】
例示的な一実施形態によれば、前記Ｓ−ＳＦＨは、異なる送信周期を有する３つのサブパケットを含み、前記変更情報は、前記３つのサブパケットの変更状態をそれぞれ示す３つのビットで構成されるビットマップを含み、前記サブパケットのいずれかの値が変更された場合、前記ビットマップの該当位置のビットがトグルされるか又は１に設定されることを特徴とする。
【０００９】
他の実施形態によれば、前記変更情報は、前記サブパケットのいずれかの値が変更される毎に、１６を法として１増加する変更カウントを含むことを特徴とする。
【００１０】
さらに他の実施形態によれば、前記変更情報を保存する段階をさらに含み、前記Ｓ−ＳＦＨは、異なる送信周期を有する３つのサブパケットを含み、前記変更情報は、変更カウントと、前記３つのサブパケットの変更状態をそれぞれ示す３つのビットで構成されるビットマップとを含み、前記システム情報を更新する段階は、前記受信した変更カウントと保存された変更カウントとを比較し、前記受信した変更カウントと前記保存された変更カウント間に差がある場合、前記ビットマップに基づいて前記変更されたシステム情報を更新することを特徴とする。
【００１１】
さらに他の実施形態によれば、前記受信する段階は、前記サブパケットを有するスーパーフレームと前記スケジューリング周期情報を有するスーパーフレーム間の間隔を示す送信オフセット情報をさらに受信することを特徴とする。
【００１２】
また、上記目的を達成するために、スーパーフレームによりデータを送信する端末のシステム情報更新方法を提供し、前記方法は、基地局からスーパーフレームヘッダ（ＳＦＨ）により送信されるシステム情報、前記システム情報のスケジューリング周期情報、及び前記システム情報の変更状態を示す変更情報を受信する段階と、前記変更情報に基づいて前記システム情報を更新する段階とを含み、前記ＳＦＨは、前記変更情報を含むプライマリＳＦＨ（Ｐ−ＳＦＨ）と、前記システム情報を有する少なくとも１つのサブパケットを含むセカンダリＳＦＨ（Ｓ−ＳＦＨ）とを含み、前記サブパケットの送信周期を示すスケジューリング周期情報は、所定のサブパケットにより送信され、前記端末は、前記サブパケットにより送信される変更されたシステム情報が、前記スケジューリング周期情報が示す通りスケジューリングされていないことを検出した場合、前記スケジューリング周期情報を受信するまで起動した状態であり、前記システム情報を更新するために前記スケジューリング周期情報を利用することを特徴とする。
【００１３】
例示的な一実施形態によれば、前記Ｓ−ＳＦＨは、異なる送信周期を有する３つのサブパケットを含み、前記変更情報は、前記３つのサブパケットの変更状態をそれぞれ示す３つのビットで構成されるビットマップを含み、前記サブパケットのいずれかの値が変更された場合、前記ビットマップの該当位置のビットがトグルされるか又は１に設定されることを特徴とする。
【００１４】
他の実施形態によれば、前記変更情報は、前記サブパケットのいずれかの値が変更される毎に、１６を法として１増加する変更カウントを含むことを特徴とする。
【００１５】
さらに他の実施形態によれば、前記変更情報を保存する段階をさらに含み、前記Ｓ−ＳＦＨは、異なる送信周期を有する３つのサブパケットを含み、前記変更情報は、変更カウントと、前記３つのサブパケットの変更状態をそれぞれ示す３つのビットで構成されるビットマップとを含み、前記システム情報を更新する段階は、前記受信した変更カウントと保存された変更カウントとを比較し、前記受信した変更カウントと前記保存された変更カウント間に差がある場合、前記ビットマップに基づいて前記変更されたシステム情報を更新することを特徴とする。
【００１６】
さらに他の実施形態によれば、前記受信する段階は、前記サブパケットを有するスーパーフレームと前記スケジューリング周期情報を有するスーパーフレーム間の間隔を示す送信オフセット情報をさらに受信することを特徴とする。
【００１７】
さらに、上記目的を達成するために、システム情報更新装置を提供し、前記装置は、基地局からスーパーフレームヘッダ（ＳＦＨ）により送信されるシステム情報及び前記システム情報の変更状態を示す変更情報を受信する受信機と、前記変更情報に基づいて前記システム情報を更新する制御装置とを含み、前記ＳＦＨは、前記変更情報を含むプライマリＳＦＨ（Ｐ−ＳＦＨ）と、前記システム情報を有する少なくとも１つのサブパケットを含むセカンダリＳＦＨ（Ｓ−ＳＦＨ）とを含み、前記サブパケットの送信周期を示すスケジューリング周期情報は、所定のサブパケットにより受信され、前記制御装置は、前記サブパケットにより送信される変更されたシステム情報が、前記スケジューリング周期情報が示す通りスケジューリングされていないことを検出した場合、前記変更されたシステム情報を受信するまでシステム動作モードをウェイクアップモードに制御することを特徴とする。
【００１８】
例示的な一実施形態によれば、前記Ｓ−ＳＦＨは、異なる送信周期を有する３つのサブパケットを含み、前記変更情報は、前記３つのサブパケットの変更状態をそれぞれ示す３つのビットで構成されるビットマップを含み、前記サブパケットのいずれかの値が変更された場合、前記ビットマップの該当位置のビットがトグルされるか又は１に設定されることを特徴とする。
【００１９】
他の実施形態によれば、前記変更情報は、前記サブパケットのいずれかの値が変更される毎に、１６を法として１増加する変更カウントを含むことを特徴とする。
【００２０】
さらに他の実施形態によれば、前記変更情報を保存するメモリをさらに含み、前記Ｓ−ＳＦＨは、異なる送信周期を有する３つのサブパケットを含み、前記変更情報は、変更カウントと、前記３つのサブパケットの変更状態をそれぞれ示す３つのビットで構成されるビットマップとを含み、前記制御装置は、前記受信機により受信された変更カウントと前記メモリに保存された変更カウントとを比較し、前記受信された変更カウントと前記保存された変更カウント間に差がある場合、前記ビットマップに基づいて前記変更されたシステム情報を更新することを特徴とする。
【００２１】
さらに他の実施形態によれば、前記受信機は、前記サブパケットを有するスーパーフレームと前記スケジューリング周期情報を有するスーパーフレーム間の間隔を示す送信オフセット情報を受信することを特徴とする。
【００２２】
本願明細書は、例えば、以下の項目も提供する。
（項目１）
スーパーフレームによりデータを送信する端末のシステム情報更新方法において、
基地局からスーパーフレームヘッダ（ＳＦＨ）により送信されるシステム情報、前記システム情報のスケジューリング周期情報、及び前記システム情報の変更状態を示す変更情報を受信する段階と、
前記変更情報に基づいて前記システム情報を更新する段階とを含み、
前記ＳＦＨは、前記変更情報を含むプライマリＳＦＨ（Ｐ−ＳＦＨ）と、前記システム情報を有する少なくとも１つのサブパケットを含むセカンダリＳＦＨ（Ｓ−ＳＦＨ）とを含み、
前記サブパケットの送信周期を示すスケジューリング周期情報は、前記Ｐ−ＳＦＨ又は所定のサブパケットにより送信され、
前記端末は、前記サブパケットにより送信される変更されたシステム情報が、前記スケジューリング周期情報が示す通りスケジューリングされていないことを検出した場合、前記変更されたシステム情報を受信するまで起動した状態であることを特徴とするシステム情報更新方法。
（項目２）
前記Ｓ−ＳＦＨは、異なる送信周期を有する３つのサブパケットを含み、前記変更情報は、前記３つのサブパケットの変更状態をそれぞれ示す３つのビットで構成されるビットマップを含み、
前記サブパケットのいずれかの値が変更された場合、前記ビットマップの該当位置のビットがトグルされるか又は１に設定されることを特徴とする項目１に記載のシステム情報更新方法。
（項目３）
前記変更情報は、前記サブパケットのいずれかの値が変更される毎に、１６を法として１増加する変更カウントを含むことを特徴とする項目１に記載のシステム情報更新方法。
（項目４）
前記変更情報を保存する段階をさらに含み、
前記Ｓ−ＳＦＨは、異なる送信周期を有する３つのサブパケットを含み、前記変更情報は、変更カウントと、前記３つのサブパケットの変更状態をそれぞれ示す３つのビットで構成されるビットマップとを含み、
前記システム情報を更新する段階は、前記受信した変更カウントと保存された変更カウントとを比較し、前記受信した変更カウントと前記保存された変更カウント間に差がある場合、前記ビットマップに基づいて前記変更されたシステム情報を更新することを特徴とする項目１に記載のシステム情報更新方法。
（項目５）
前記受信する段階は、前記サブパケットを有するスーパーフレームと前記スケジューリング周期情報を有するスーパーフレーム間の間隔を示す送信オフセット情報をさらに受信することを特徴とする項目１に記載のシステム情報更新方法。
（項目６）
スーパーフレームによりデータを送信する端末のシステム情報更新方法において、
基地局からスーパーフレームヘッダ（ＳＦＨ）により送信されるシステム情報、前記システム情報のスケジューリング周期情報、及び前記システム情報の変更状態を示す変更情報を受信する段階と、
前記変更情報に基づいて前記システム情報を更新する段階とを含み、
前記ＳＦＨは、前記変更情報を含むプライマリＳＦＨ（Ｐ−ＳＦＨ）と、前記システム情報を有する少なくとも１つのサブパケットを含むセカンダリＳＦＨ（Ｓ−ＳＦＨ）とを含み、
前記サブパケットの送信周期を示すスケジューリング周期情報は、所定のサブパケットにより送信され、
前記端末は、前記サブパケットにより送信される変更されたシステム情報が、前記スケジューリング周期情報が示す通りスケジューリングされていないことを検出した場合、前記スケジューリング周期情報を受信するまで起動した状態であり、前記システム情報を更新するために前記スケジューリング周期情報を利用することを特徴とするシステム情報更新方法。
（項目７）
前記Ｓ−ＳＦＨは、異なる送信周期を有する３つのサブパケットを含み、前記変更情報は、前記３つのサブパケットの変更状態をそれぞれ示す３つのビットで構成されるビットマップを含み、
前記サブパケットのいずれかの値が変更された場合、前記ビットマップの該当位置のビットがトグルされるか又は１に設定されることを特徴とする項目６に記載のシステム情報更新方法。
（項目８）
前記変更情報は、前記サブパケットのいずれかの値が変更される毎に、１６を法として１増加する変更カウントを含むことを特徴とする項目６に記載のシステム情報更新方法。
（項目９）
前記変更情報を保存する段階をさらに含み、
前記Ｓ−ＳＦＨは、異なる送信周期を有する３つのサブパケットを含み、前記変更情報は、変更カウントと、前記３つのサブパケットの変更状態をそれぞれ示す３つのビットで構成されるビットマップとを含み、
前記システム情報を更新する段階は、前記受信した変更カウントと保存された変更カウントとを比較し、前記受信した変更カウントと前記保存された変更カウント間に差がある場合、前記ビットマップに基づいて前記変更されたシステム情報を更新することを特徴とする項目６に記載のシステム情報更新方法。
（項目１０）
前記受信する段階は、前記サブパケットを有するスーパーフレームと前記スケジューリング周期情報を有するスーパーフレーム間の間隔を示す送信オフセット情報をさらに受信することを特徴とする項目６に記載のシステム情報更新方法。
（項目１１）
基地局からスーパーフレームヘッダ（ＳＦＨ）により送信されるシステム情報及び前記システム情報の変更状態を示す変更情報を受信する受信機と、
前記変更情報に基づいて前記システム情報を更新する制御装置とを含み、
前記ＳＦＨは、前記変更情報を含むプライマリＳＦＨ（Ｐ−ＳＦＨ）と、前記システム情報を有する少なくとも１つのサブパケットを含むセカンダリＳＦＨ（Ｓ−ＳＦＨ）とを含み、
前記サブパケットの送信周期を示すスケジューリング周期情報は、所定のサブパケットにより受信され、
前記制御装置は、前記サブパケットにより送信される変更されたシステム情報が、前記スケジューリング周期情報が示す通りスケジューリングされていないことを検出した場合、前記変更されたシステム情報を受信するまでシステム動作モードをウェイクアップモードに制御することを特徴とするシステム情報更新装置。
（項目１２）
前記Ｓ−ＳＦＨは、異なる送信周期を有する３つのサブパケットを含み、前記変更情報は、前記３つのサブパケットの変更状態をそれぞれ示す３つのビットで構成されるビットマップを含み、
前記サブパケットのいずれかの値が変更された場合、前記ビットマップの該当位置のビットがトグルされるか又は１に設定されることを特徴とする項目１１に記載のシステム情報更新装置。
（項目１３）
前記変更情報は、前記サブパケットのいずれかの値が変更される毎に、１６を法として１増加する変更カウントを含むことを特徴とする項目１１に記載のシステム情報更新装置。
（項目１４）
前記変更情報を保存するメモリをさらに含み、
前記Ｓ−ＳＦＨは、異なる送信周期を有する３つのサブパケットを含み、前記変更情報は、変更カウントと、前記３つのサブパケットの変更状態をそれぞれ示す３つのビットで構成されるビットマップとを含み、
前記制御装置は、前記受信機により受信された変更カウントと前記メモリに保存された変更カウントとを比較し、前記受信された変更カウントと前記保存された変更カウント間に差がある場合、前記ビットマップに基づいて前記変更されたシステム情報を更新することを特徴とする項目１１に記載のシステム情報更新装置。
（項目１５）
前記受信機は、前記サブパケットを有するスーパーフレームと前記スケジューリング周期情報を有するスーパーフレーム間の間隔を示す送信オフセット情報を受信することを特徴とする項目１１に記載のシステム情報更新装置。
本発明の前述及び他の目的、特徴、態様、利点は、後述する発明の詳細な説明及び添付図面によりさらに明確になるであろう。
【図面の簡単な説明】
【００２３】
本発明の理解を助けるために添付され、本明細書の一部を構成する図面は、本発明の実施形態を示し、明細書と共に本発明の原理を説明する。
【図１】上位レベルのフレーム構造を示す図である。
【図２】ＦＤＤ（Ｆｒｅｑｕｅｎｃｙ  Ｄｉｖｉｓｉｏｎ  Ｄｕｐｌｅｘ）方式のフレーム構造を示す図である。
【図３】ＴＤＤ（Ｔｉｍｅ  Ｄｉｖｉｓｉｏｎ  Ｄｕｐｌｅｘ）方式のフレーム構造を示す図である。
【図４】本発明の一実施形態により端末が基地局から受信したＰ−ＳＦＨ内の情報エラーを検出する過程を示すフローチャートである。
【図５】本発明の一実施形態により、システム情報の変更時、Ｐ−ＳＦＨで伝達されるＳ−ＳＦＨの変更カウント（ＣＣ）及びＳ−ＳＦＨサブパケット（ＳＰ）変更ビットマップ（ＣＢ）情報を変更する方法を示す図である。
【図６】本発明の第１の実施形態によるシステム情報更新過程を順次示す図である。
【図７】本発明の第２の実施形態によるシステム情報更新過程を順次示す図である。
【図８】本発明の第３の実施形態によるシステム情報更新過程を順次示す図である。
【図９】本発明の一実施形態によるスリープモード／アイドルモードにある端末のＳ−ＳＦＨ更新過程を示す図である。
【図１０】本発明の一実施形態による周期設定インデックス（ｐｅｒｉｏｄｉｃｉｔｙ  ｃｏｎｆｉｇｕｒａｔｉｏｎ  ｉｎｄｅｘ）が０の場合におけるＰ−ＳＦＨで送信される送信オフセット情報を示す図である。
【図１１】本発明の一実施形態による周期設定インデックスが１の場合におけるＰ−ＳＦＨで送信される送信オフセット情報を示す図である。
【図１２】本発明の一実施形態による周期設定インデックスが０の場合におけるＳ−ＳＦＨ  ＳＰ１で送信される送信オフセット情報を示す図である。
【図１３】本発明の一実施形態による周期設定インデックスが１の場合におけるＳ−ＳＦＨ  ＳＰ１で送信される送信オフセット情報を示す図である。
【図１４】本発明の一実施形態による周期設定インデックスが０の場合におけるＳ−ＳＦＨ  ＳＰ２で送信される送信オフセット情報を示す図である。
【図１５】本発明の一実施形態による周期設定インデックスが１の場合におけるＳ−ＳＦＨ  ＳＰ２で送信される送信オフセット情報を示す図である。
【図１６】本発明の一実施形態による周期設定インデックスが０の場合におけるＳ−ＳＦＨ  ＳＰ３で送信される送信オフセット情報を示す図である。
【図１７】本発明の一実施形態によるＳ−ＳＦＨ  ＳＰ３で送信される統合された送信オフセットのセットを示す図である。
【図１８】本発明の一実施形態によるＳ−ＳＦＨ  ＳＰ３で送信される簡略化された送信オフセット情報を示す図である。
【図１９】本発明の一実施形態によるＳ−ＳＦＨ  ＳＰの送信周期情報及び送信オフセット情報を示す方法を示す図である。
【図２０】変更されたＳ−ＳＦＨ  ＳＰが最終のＳＰスケジューリング周期情報に定義された通りスケジューリングされていないことを端末が検出した場合における、本発明の一実施形態によるＳ−ＳＦＨの更新方法を示す図である。
【図２１】変更されたＳ−ＳＦＨ  ＳＰが最終のＳＰスケジューリング周期情報に定義された通りスケジューリングされていないことを端末が検出した場合における、本発明の他の実施形態によるＳ−ＳＦＨの更新方法を示す図である。
【図２２】変更されたＳ−ＳＦＨ  ＳＰが最終のＳＰスケジューリング周期情報に定義された通りスケジューリングされていないことを端末が検出した場合における、本発明のさらに他の実施形態によるＳ−ＳＦＨの更新方法を示す図である。
【図２３】ＳＰスケジューリング周期情報が変更された場合における、本発明の一実施形態によるＳ−ＳＦＨ  ＳＰの更新方法を示す図である。
【図２４】ＳＰスケジューリング周期情報が変更された場合における、本発明の他の実施形態によるＳ−ＳＦＨ  ＳＰの更新方法を示す図である。
【図２５】本発明の一実施形態によるシステム情報更新動作を行う端末を概略的に示すブロック図である。
【発明を実施するための形態】
【００２４】
以下、添付図面を参照して本発明の実施形態を詳細に説明する。同一又は類似の構成要素には同一の符号を付して重複する説明は省略する。本発明を説明するにあたって、関連する公知機能又は構成についての具体的な説明が本発明の要旨を不明にすると判断される場合はその詳細な説明を省略するが、当業者であれば理解できるであろう。なお、図面において、より明確に示すために形状と大きさを誇張することがあるが、同一又は類似の構成要素には同一の符号を付す。添付図面は単なる例示にすぎず、本発明を限定するものではない。
【００２５】
本発明の実施形態による通信システムは、音声データやパケットデータなどの様々な通信サービスを提供するためのシステムであって、基地局及び端末を含む。
【００２６】
本発明の実施形態による端末は、ＳＳ（Ｓｕｂｓｃｒｉｂｅｒ  Ｓｔａｔｉｏｎ）、ＵＥ（Ｕｓｅｒ  Ｅｑｕｉｐｍｅｎｔ）、ＭＥ（Ｍｏｂｉｌｅ  Ｅｑｕｉｐｍｅｎｔ）、ＭＳ（Ｍｏｂｉｌｅ  Ｓｔａｔｉｏｎ）などと呼ばれ、携帯電話、ＰＤＡ、スマートフォン、ノートブックコンピュータなどのように通信機能を備えた携帯可能な機器、又はＰＣ、車両搭載装置などのように携帯不可能な機器を含む。
【００２７】
基地局（Ｂａｓｅ  Ｓｔａｔｉｏｎ；  ＢＳ）とは、端末と通信を行う固定局をいい、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ；  ＡＰ）などとも呼ばれる。１つの基地局には１つ以上のセルが存在し、基地局間ではユーザトラフィック又は制御トラフィックの伝送のためのインタフェースが使用される。ダウンリンクとは、ＢＳから端末への通信チャネルを意味し、アップリンクとは、端末からＢＳへの通信チャネルを意味する。
【００２８】
本発明の実施形態による無線通信システムに適用される多元接続方式は、ＣＤＭＡ（Ｃｏｄｅ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ−ＦＤＭＡ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）などの多元接続方式を全て含む。
【００２９】
ダウンリンク伝送のための多元接続方式とアップリンク伝送のための多元接続方式とは異なってもよく、例えば、ダウンリンクはＯＦＤＭＡ方式を用い、アップリンクはＳＣ−ＦＤＭＡ方式を用いてもよい。
【００３０】
以下、添付図面を参照して本発明の実施形態を詳細に説明するが、図面番号に関係なく同一又は類似の構成要素には同一の符号を付して重複する説明は省略する。
【００３１】
図１は、基本的なフレーム構造を示す図である。
【００３２】
図１に示すように、本発明のシステムに適用されるフレーム構造は、５ｍｓ単位のフレームを基本構成要素として含んでもよく、前記フレームは、基本的な１つの伝送単位であって、プリアンブル間の間隔と定義することができる。フレームは、少なくとも１つのサブフレームを含み、異なるサイズを有する複数のＴＴＩ（Ｔｒａｎｓｍｉｓｓｉｏｎ  Ｔｉｍｅ  Ｉｎｔｅｒｖａｌ）を含んでもよい。ＴＴＩは、ＭＡＣ層で行われるスケジューリングの基本単位である。ＴＴＩは、無線リソースの割り当て単位ということができる。
【００３３】
スーパーフレームは、複数のフレームから構成される。スーパーフレームは、例えば２０ｍｓ単位で構成してもよい。スーパーフレームを構成する場合、初期の高速セル選択（ｆａｓｔ  ｃｅｌｌ  ｓｅｌｅｃｔｉｏｎ）及び低遅延（ｌｏｗ  ｌａｔｅｎｃｙ）のサービスのためのシステム構成情報及びブロードキャスト情報を伝送単位として設定し、一般的には２つ〜６つのフレームを１つのスーパーフレームとして構成する。また、各５ｍｓ単位のフレームは、複数のサブフレームから構成され、各サブフレームは、複数のＯＦＤＭ／ＯＦＤＭＡシンボルから構成される。各スーパーフレームは、ブロードキャストチャネルを含む単一のスーパーフレームヘッダ（ＳＦＨ）を含み、ＳＦＨは、該当スーパーフレームの最初のサブフレームに位置する。実質的なフレーム構造は、システムチャネルの帯域幅、多重化方式、ＣＰ（Ｃｙｃｌｉｃ  Ｐｒｅｆｉｘ）の長さなどに応じて設計される。
【００３４】
図２は、ＦＤＤモードのフレーム構造を示す図である。
【００３５】
ＦＤＤモードでは、ダウンリンク伝送とアップリンク伝送が周波数ドメイン上で区分され、各フレームの全てのサブフレームはダウンリンク伝送とアップリンク伝送のどちらも可能である。ＦＤＤモードの端末は、アップリンクサブフレームに接続すると同時に、任意のダウンリンクサブフレームによりデータバーストを受信することができる。
【００３６】
図２に示すように、２０ｍｓのスーパーフレームは、４つの５ｍｓ長のフレームＦ０、Ｆ１、Ｆ２、Ｆ３を含み、１つのフレームＦ２は、０．６１７ｍｓ長の８つのサブフレームＳＦ０、ＳＦ１、ＳＦ２、ＳＦ３、ＳＦ４、ＳＦ５、ＳＦ６、ＳＦ７と、６２．８６μｓのアイドル時間区間とを含む。各サブフレームは、７つのＯＦＤＭシンボルＳ０、Ｓ１、Ｓ２、Ｓ３、Ｓ４、Ｓ５、Ｓ６を含む。
【００３７】
図３は、ＴＤＤモードのフレーム構造を示す図である。
【００３８】
ＴＤＤモードでは、ダウンリンク伝送とアップリンク伝送が時間ドメイン上で区分され、ダウンリンク送信時間間隔の次にアップリンク送信時間間隔が割り当てられることにより、ダウンリンクとアップリンクでデータが送受信される。
【００３９】
図３に示すように、２０ｍｓのスーパーフレームは、４つの５ｍｓのフレームＦ０、Ｆ１、Ｆ２、Ｆ３を含み、１つのフレームＦ２は、０．６１７ｍｓ長の８つのサブフレームＳＦ０、ＳＦ１、ＳＦ２、ＳＦ３、ＳＦ４、ＳＦ５、ＳＦ６、ＳＦ７と、６２．８６μｓのアイドル時間区間とを含む。フレームＦ２は、ダウンリンク（ＤＬ）とアップリンク（ＵＬ）の比率（Ｄ：Ｕ）によって決定されるＤ個のダウンリンクフレームとＵ個のアップリンクフレームとから構成される。ＤＬとＵＬの比率が５：３の場合、５つのサブフレームＳＦ０、ＳＦ１、ＳＦ２、ＳＦ３、ＳＦ４はダウンリンクフレームとして構成され、３つのサブフレームＳＦ５、ＳＦ６、ＳＦ７はアップリンクフレームとして構成される。最後のダウンリンクサブフレームＳＦ４と最初のアップリンクサブフレームＳＦ５との間には、ＤＬとＵＬを区分するための１つのアイドルシンボルが挿入され、ＤＬからＵＬに変更されることを通知する。ダウンリンクとアップリンクとの間に挿入されるギャップをＴＴＧ（Ｔｒａｎｓｍｉｔ  Ｔｒａｎｓｉｔｉｏｎ  Ｇａｐ）といい、アップリンクとダウンリンクとの間に挿入されるギャップをＲＴＧ（Ｒｅｃｅｉｖｅ  Ｔｒａｎｓｉｔｉｏｎ  Ｇａｐ）といい、これらにより、送信端と受信端はダウンリンク伝送とアップリンク伝送を区分することができる。
【００４０】
また、最後のダウンリンクサブフレームＳＦ４は、５つのＯＦＤＭシンボルと、最後の１つのアイドルシンボルＳ５とを含む。アイドルシンボルＳ５は、ダウンリンク（ＤＬ）とアップリンク（ＵＬ）を区分するＴＴＧの役割を果たす。
【００４１】
以下、スーパーフレームヘッダ（ＳＦＨ）について詳細に説明する。
【００４２】
広帯域無線アクセスシステムにおいて、ＳＦＨは、端末と基地局間の通信のために必須のシステム情報を端末に伝達する。図１に示すように、ＳＦＨは、単一のスーパーフレームの第１のサブフレームに位置する。ＳＦＨは、ＳＦＨを受信するための制御情報を伝達するプライマリＳＦＨ（Ｐ−ＳＦＨ）と、ネットワークエントリなどの必須情報を送信するセカンダリＳＦＨ（Ｓ−ＳＦＨ）とを含む。
【００４３】
Ｓ−ＳＦＨは、システム情報の送信頻度に応じて複数のサブパケット（ＳＰ）を含むが、好ましくは３つのＳＰ（ＳＰ１、ＳＰ２、ＳＰ３）を含む。
【００４４】
Ｐ−ＳＦＨは、各スーパーフレーム毎に伝送され、Ｐ−ＳＦＨの情報要素（ＩＥ）は、スーパーフレーム番号（ｓｕｐｅｒｆｒａｍｅ  ｎｕｍｂｅｒ；  ＳＦＮ）の４−ｂｉｔ−ＬＳＢ情報と、Ｓ−ＳＦＨに関する情報とを含む。Ｐ−ＳＦＨの情報要素とは、スーパーフレーム番号及びＳ−ＳＦＨに関する情報のセットを意味する。Ｓ−ＳＦＨに関する情報は、現在伝送されているＳ−ＳＦＨのバージョンを示すＳ−ＳＦＨ変更カウント、該当スーパーフレームにおいてどの種類のＳ−ＳＦＨ  ＳＰが伝送されるかを示すＳ−ＳＦＨスケジューリング情報ビットマップ、Ｓ−ＳＦＨ伝送のために割り当てられたＬＲＵの数を示すＳ−ＳＦＨサイズ、Ｓ−ＳＦＨの伝送フォーマットを示すＳ−ＳＦＨ繰り返し数（ｎｕｍｂｅｒ  ｏｆ  ｒｅｐｅｔｉｔｉｏｎｓ）、どの種類のＳ−ＳＦＨ  ＳＰが変更されたかを示すＳ−ＳＦＨ  ＳＰ変更ビットマップなどを含む。前記Ｓ−ＳＦＨスケジューリング情報ビットマップフィールド及び前記Ｓ−ＳＦＨ  ＳＰ変更ビットマップフィールドのサイズは、前記Ｓ−ＳＦＨのＳＰの総数と同一である。
【００４５】
Ｓ−ＳＦＨは、（Ｓ−ＳＦＨの情報要素と呼ばれる）実際のシステム情報を伝達し、伝達されるシステム情報は、前述したように、その特性に応じて３つのサブパケットに含まれ、これらをそれぞれＳ−ＳＦＨ  ＳＰｎ（ｎ＝１、２、３）という。各Ｓ−ＳＦＨ  ＳＰ情報要素（ＩＥ）は異なる送信周期を有する。ＳＰ１の送信周期をＴＳＰ１、ＳＰ２の送信周期をＴＳＰ２、ＳＰ３の送信周期をＴＳＰ３とすると、サブパケットの送信周期は、例えばＴＳＰ１＜ＴＳＰ２＜ＴＳＰ３と表される。
【００４６】
基地局との持続的な通信のために、端末は、Ｓ−ＳＦＨ  ＳＰで伝達されるシステム情報を更新しなければならない。この場合、システム情報が変更されていないにもかかわらず、Ｓ−ＳＦＨを復号化及び更新することは、端末の電力消費の面で非効率的である。そこで、本発明においては、Ｓ−ＳＦＨで伝達されるシステム情報の効率的な更新方法を提案する。
【００４７】
端末は、基地局から送信されるシステム情報の更新を行う前に、基地局から受信したＰ−ＳＦＨ内の情報エラーを検出しなければならない。
【００４８】
図４は、本発明の一実施形態により端末が基地局から受信したＰ−ＳＦＨ内の情報エラーを検出する過程を示すフローチャートである。
【００４９】
Ｐ−ＳＦＨは、４−ｂｉｔ−ＬＳＢスーパーフレーム番号（ＳＦＮ）、Ｓ−ＳＦＨ変更カウント（以下、「ＣＣ」という）、Ｓ−ＳＦＨスケジューリング情報ビットマップ、Ｓ−ＳＦＨサイズ、Ｓ−ＳＦＨ繰り返し数、Ｓ−ＳＦＨ  ＳＰ変更ビットマップ（以下、「ＣＢ」という）に加えて、ＣＲＣ（Ｃｙｃｌｉｃ  Ｒｅｄｕｎｄａｎｃｙ  Ｃｈｅｃｋ）を含んでもよい。一般に、端末は、無線インタフェースで送信されたＰ−ＳＦＨ内の情報にエラーがあるか否かを確認するために、受信したデータに基づいてＣＲＣの値を計算する。端末は、このように計算されたＣＲＣの値に基づいて、Ｐ−ＳＦＨ内の情報にエラーが発生したか否かを判断する。
【００５０】
ところが、本発明は、比較のために、ＣＲＣによる一般的なＰ−ＳＦＨエラー検出においてエラーがないと判断された場合も、Ｐ−ＳＦＨ内の４−ｂｉｔ−ＬＳＢスーパーフレーム番号フィールドを利用してエラーが発生したか否かをさらに判断する過程を提案する。
【００５１】
まず、端末は、受信したＰ−ＳＦＨを復号化する（Ｓ４０１）。
【００５２】
端末は、Ｐ−ＳＦＨに含まれるＣＲＣの値を復号化し、Ｐ−ＳＦＨ内の情報にエラーがあるか否かを一次的に判断する（Ｓ４０３）。
【００５３】
端末がＣＲＣチェックによるエラー発生判断の結果に基づいて該当スーパーフレームにエラーがあると判断した場合、当該スーパーフレームはエラー処理され（Ｓ４１７）、端末が該当スーパーフレームにエラーがないと判断した場合、端末は、初期ネットワーク登録（初期ネットワークエントリ）過程により必須のシステム情報を正常に受信（ＤＬ同期化）し、スーパーフレーム番号（ＳＦＮ）を計算する。
【００５４】
端末は、基地局から送信されたＰ−ＳＦＨ内のスーパーフレーム番号（ＳＦＮ）と前記計算されたＳＦＮとを比較して確認することにより、当該Ｐ−ＳＦＨがエラーなく正常に送信されたか否かを判断する（Ｓ４０５）。
【００５５】
端末は、Ｐ−ＳＦＨ内の情報にエラーがあると判断した場合、該当スーパーフレームをエラーが発生したものと扱い、何の動作も行わない（Ｓ４１７）。
【００５６】
端末は、基地局が送信したＰ−ＳＦＨ内のＳＦＮと端末が計算したＳＦＮとが同一であると判断した場合、該当スーパーフレームはエラーがないと判断する（Ｓ４０７）。
【００５７】
該当スーパーフレームにおいてＳ−ＳＦＨが送信された場合、端末はＳ−ＳＦＨのＣＲＣを計算することができ、端末がＳ−ＳＦＨ内の情報にエラーがないと判断した場合、当該端末は当該スーパーフレームにおいて正常な動作を行うことができる。
【００５８】
以下、Ｐ−ＳＦＨで伝達されるＳ−ＳＦＨ変更カウント及びＳ−ＳＦＨ  ＳＰ変更ビットマップを用いた、端末による必須のシステム情報の更新手順を説明する。
【００５９】
図５は、本発明の一実施形態により、システム情報の変更時、Ｐ−ＳＦＨで伝達されるＳ−ＳＦＨの変更カウント（ＣＣ）及びＳ−ＳＦＨサブパケット（ＳＰ）変更ビットマップ（ＣＢ）情報を変更する方法を示す図である。
【００６０】
図５に示すように、Ｐ−ＳＦＨで伝達されるＳ−ＳＦＨのＣＣは、Ｓ−ＳＦＨ  ＳＰ  ＩＥのいずれかの値が変更される毎に変更される。
【００６１】
図５において、ＣＣは、Ｓ−ＳＦＨで伝達される必須のシステム情報が変更されたか否かを示す変更カウントを示し、ＳＩは、スケジューリング情報ビットマップであって、該当スーパーフレームにおいて送信されるＳ−ＳＦＨ  ＳＰを示す。また、Ｓ−ＳＦＨのＣＢは、該当スーパーフレームにおけるＳ−ＳＦＨ  ＳＰ  ＩＥの変更状態を示す。ＣＢの各ビットは、該当Ｓ−ＳＦＨ  ＳＰ  ＩＥの変更状態を示す。ビット＃０、ビット＃１、ビット＃２は、それぞれＳ−ＳＦＨ  ＳＰ１  ＩＥ、Ｓ−ＳＦＨ  ＳＰ２  ＩＥ、及びＳ−ＳＦＨ  ＳＰ３  ＩＥにマッピングされる。Ｓ−ＳＦＨ  ＳＰ  ＩＥのいずれかの値が変更された場合、該当ビットはトグルされるか又は１に設定される。
【００６２】
図示のように、スーパーフレームでは、Ｐ−ＳＦＨでＣＣ、ＳＩ、及びＣＢ情報を伝達することができる。端末の最後に保存されたＣＣの値が２５であり、スーパーフレーム１により、システム情報が変更されていないＳ−ＳＦＨ  ＳＰ１及びＳＰ２がスケジューリングされて送信されると仮定すると、スーパーフレーム１のＰ−ＳＦＨの最後に受信されたＣＣは最後に保存されたＣＣと同一である。スケジューリングされたＳ−ＳＦＨのＳＰがＳＰ１及びＳＰ２であることを示すように、スーパーフレーム１により送信されたＳＩビットマップは「１１０」に設定される。ＣＢはＳＰ  ＩＥが変更されていないことを示すように「０００」となる。
【００６３】
図５においては、Ｓ−ＳＦＨ  ＳＰで送信されるいずれかのシステム情報が変更された場合、変更されたＳ−ＳＦＨ  ＳＰ  ＩＥが最初に送信されるスーパーフレームにおいてＳ−ＳＦＨ  ＣＣが増加する。つまり、変更されたＳＰ１及びＳＰ２が最初に送信されるスーパーフレーム２においてＣＣが２５から２７に増加する。この場合、変更されたＳＰの数に応じてカウンタが増加して２つのＳＰの情報要素が変更されるため、ＣＣはカウントが２増加して２７となる。
【００６４】
従って、スーパーフレーム２のＰ−ＳＦＨは、ＣＣが２７に増加し、スケジューリングされたＳ−ＳＦＨのＳＰがＳＰ１及びＳＰ２であることを示すようにＳＩビットマップは「１１０」に設定され、ＣＢは変更されたＳＰ  ＩＥがＳＰ１及びＳＰ２であることを示すように「１１０」となる。
【００６５】
また、スーパーフレーム３では、システム情報が変更されておらず、ＳＰ１のみがスケジューリングされているため、スーパーフレーム３のＰ−ＳＦＨは、ＣＣが２７に維持され、スケジューリングされたＳ−ＳＦＨのＳＰがＳＰ１であることを示すようにＳＩビットマップは「１００」に設定され、ＣＢは「１１０」に維持される。
【００６６】
本発明の他の実施形態によれば、スーパーフレームの数に応じて（すなわち、スーパーフレーム単位で）ＣＣを増加させることもできる。また、Ｓ−ＳＦＨ  ＳＰ  ＩＥの送信時点に関係なく、基地局がＣＣを変更する必要性を認識したときにスーパーフレームにおいてＣＣを増加させることもできる。
【００６７】
以下、変更されたシステム情報を受信した端末のシステム情報更新方法を説明する。
【００６８】
図６は、本発明の第１の実施形態によるシステム情報更新過程を順次示す図である。
【００６９】
基地局は、Ｓ−ＳＦＨスケジューリング情報ビットマップ（ＳＩ）、Ｓ−ＳＦＨ変更カウント（ＣＣ）、及びＳ−ＳＦＨサブパケット変更ビットマップ（Ｓ−ＳＦＨ  ＳＰ  ＣＢ）を含むＰ−ＳＦＨ  ＩＥを端末に送信する。
【００７０】
基地局からＰ−ＳＦＨ  ＩＥを受信した端末は、受信したＰ−ＳＦＨ  ＩＥを復号化する（Ｓ６０１）。
【００７１】
端末は、Ｐ−ＳＦＨ  ＩＥに含まれるＳ−ＳＦＨ変更カウント（ＣＣ）及びＳ−ＳＦＨ  ＳＰ変更ビットマップ（ＣＢ）情報を復号化し、Ｓ−ＳＦＨ  ＩＥを復号化するか否かを決定する。
【００７２】
まず、端末は、Ｐ−ＳＦＨ  ＩＥを受信する毎に、最後に受信したＰ−ＳＦＨ  ＩＥ及び最後に保存されたＰ−ＳＦＨ  ＩＥの各Ｓ−ＳＦＨ  ＣＣの値を比較する（Ｓ６０３）。
【００７３】
前記ＣＣの値を比較した結果、２つの値に差がない場合（ＣＣ差＝０）、端末は、Ｓ−ＳＦＨの変更がないと判断し、全てのＳ−ＳＦＨ  ＩＥの復号化を省略する（Ｓ６０５）。
【００７４】
前記ＣＣの値を比較した結果、２つの値の差が１より大きい場合（ＣＣ差＞１）、端末は、少なくとも１つのＳ−ＳＦＨ  ＩＥが変更されたと判断し、全てのＳ−ＳＦＨ  ＩＥの復号化を行う（Ｓ６０７）。そして、端末は、全てのＳ−ＳＦＨ  ＩＥの復号化を行った後、変更されたＳ−ＳＦＨ  ＣＣ及びＳ−ＳＦＨ  ＳＰ  ＣＢを保存する（Ｓ６１７）。
【００７５】
前記ＣＣの値を比較した結果、２つの値の差が１の場合（ＣＣ差＝１）、端末は、受信して保存しておいたＳ−ＳＦＨ  ＣＢと新たに受信したＳ−ＳＦＨ  ＣＢとを比較する（Ｓ６０９）。
【００７６】
前記変更ビットマップの比較結果に基づいて、トグルされたビット位置に該当するＳ−ＳＦＨ  ＳＰ  ＩＥが変更されたＳ−ＳＦＨ  ＳＰ  ＩＥであると判断し、当該ＳＰ  ＩＥを復号化及び更新する（Ｓ６１１）。
【００７７】
その後、端末は、変更されたＳ−ＳＦＨ  ＣＣ及びＳ−ＳＦＨ  ＳＰ  ＣＢを保存する（Ｓ６１７）。
【００７８】
図６に示す実施形態においては、保存されたＳ−ＳＦＨ変更カウントと現在受信したＰ−ＳＦＨのＳ−ＳＦＨ変更カウントの差が２の場合、同一のＳ−ＳＦＨ  ＳＰが連続して変更されると（Ｓ−ＳＦＨ  ＳＰ変更ビットマップと同一のビット位置の値がトグルされると（０→１→０））、端末は、Ｓ−ＳＦＨが変更されたか否かは分かるが、どのＳ−ＳＦＨ  ＳＰが変更されたかは分からない。このように、端末がどのＳ−ＳＦＨ  ＳＰが変更されたか分からない場合、全てのＳ−ＳＦＨ  ＳＰを受信し、Ｓ−ＳＦＨ変更カウントの差値が１であるか、２以上であるかを確認して判断する。
【００７９】
図７は、本発明の第２の実施形態によるシステム情報更新過程を順次示す図である。
【００８０】
図７に示す実施形態においては、Ｓ−ＳＦＨ変更カウントとＳ−ＳＦＨ  ＳＰ変更ビットマップを用いて（差値だけトグルされたか否かを確認して）判断した場合、連続して変更された（Ｓ−ＳＦＨ  ＳＰ変更ビットマップと同一のビット位置の値がトグルされた（０→１→０））Ｓ−ＳＦＨ  ＳＰビット情報を把握することもできる。
【００８１】
図６の場合と同様に、基地局は、Ｓ−ＳＦＨスケジューリング情報ビットマップ（ＳＩ）、Ｓ−ＳＦＨ変更カウント（ＣＣ）、及びＳ−ＳＦＨサブパケット変更ビットマップ（Ｓ−ＳＦＨ  ＳＰ  ＣＢ）を含むＰ−ＳＦＨ  ＩＥを端末に送信する。基地局からＰ−ＳＦＨ  ＩＥを受信した端末は、受信したＰ−ＳＦＨ  ＩＥを復号化する（Ｓ６０１）。
【００８２】
端末は、Ｐ−ＳＦＨ  ＩＥに含まれるＳ−ＳＦＨ変更カウント（ＣＣ）及びＳ−ＳＦＨ  ＳＰ変更ビットマップ（ＣＢ）情報を復号化し、Ｓ−ＳＦＨ  ＩＥを復号化するか否かを決定し、受信して保存しておいたＳ−ＳＦＨ  ＣＣの値と新たに受信したＳ−ＳＦＨ  ＣＣの値とを比較する（Ｓ７０３）。
【００８３】
前記ＣＣの値を比較した結果、２つの値に差がない場合（ＣＣ差＝０）、端末は、Ｓ−ＳＦＨの変更がないと判断し、全てのＳ−ＳＦＨ  ＩＥの復号化を省略する（Ｓ６０５）。
【００８４】
前記ＣＣの値を比較した結果、２つの値に差が生じた場合（ＣＣ差≠０）、端末は、受信して保存しておいたＳ−ＳＦＨ  ＣＢと新たに受信したＳ−ＳＦＨ  ＣＢとを比較し、トグルされたビットの数が受信したＣＣと保存されたＣＣの差と等しいか否かを判断する（Ｓ７０７）。前記トグルされたビットの数が前記ＣＣの値の差と等しい場合、端末は、トグルされたビット位置に該当するＳ−ＳＦＨ  ＳＰ  ＩＥが変更されたＳ−ＳＦＨ  ＳＰ  ＩＥであると判断し、当該ＳＰ  ＩＥを復号化及び更新する（Ｓ７１１）。例えば、Ｓ−ＳＦＨ変更カウントの差値が２であり、保存されたＣＢが「０００」であり、受信したＣＢが「０１１」である場合、Ｓ−ＳＦＨ  ＳＰ変更ビットマップのビットのうち２つのビットの値がトグルされているので、端末は、前記トグルされたビットの数が前記ＣＣの値の差と等しいと判断する。その後、端末は、該当ＳＰ  ＩＥ（ＳＰ２及びＳＰ３）を復号化及び更新する。そして、端末は、変更されたＳ−ＳＦＨ  ＣＣの値及びＳ−ＳＦＨ  ＳＰ  ＣＢの値を保存する（Ｓ７１９）。
【００８５】
前記トグルされたビットの数が前記ＣＣの値の差と等しくない場合、端末は、全てのＳ−ＳＦＨ  ＳＰ  ＩＥを復号化及び更新する。
【００８６】
図８は、本発明の第３の実施形態によるシステム情報更新過程を順次示す図である。
【００８７】
基地局は、Ｓ−ＳＦＨスケジューリング情報ビットマップ（ＳＩ）、Ｓ−ＳＦＨ変更カウント（ＣＣ）、及びＳ−ＳＦＨサブパケット変更ビットマップ（Ｓ−ＳＦＨ  ＳＰ  ＣＢ）を含むＰ−ＳＦＨ  ＩＥを端末に送信する。この場合、基地局は、前述した変更ビットマップとは異なり、Ｓ−ＳＦＨ  ＳＰに対応するビットの値のみを１に設定し、その他のビットは０に設定する。
【００８８】
基地局からＰ−ＳＦＨ  ＩＥを受信した端末は、受信したＰ−ＳＦＨ  ＩＥを復号化する（Ｓ６０１）。
【００８９】
端末は、Ｐ−ＳＦＨ  ＩＥに含まれるＳ−ＳＦＨ変更カウント（ＣＣ）及びＳ−ＳＦＨ  ＳＰ変更ビットマップ（ＣＢ）情報を復号化し、Ｓ−ＳＦＨ  ＩＥを復号化するか否かを決定する。
【００９０】
まず、端末は、受信して保存しておいたＳ−ＳＦＨ  ＣＣの値と新たに受信したＳ−ＳＦＨ  ＣＣの値とを比較する（Ｓ６０３）。
【００９１】
前記ＣＣの値を比較した結果、２つの値に差がない場合（ＣＣ差＝０）、端末は、Ｓ−ＳＦＨの変更がないと判断し、全てのＳ−ＳＦＨ  ＩＥの復号化を省略する（Ｓ６０５）。
【００９２】
前記ＣＣの値を比較した結果、２つの値の差が１より大きい場合（ＣＣ差＞１）、端末は、少なくとも１つのＳ−ＳＦＨ  ＩＥが変更されたと判断し、全てのＳ−ＳＦＨ  ＩＥの復号化を行う（Ｓ６０７）。そして、端末は、全てのＳ−ＳＦＨ  ＩＥの復号化を行った後、変更されたＳ−ＳＦＨ  ＣＣの値を保存する（Ｓ８１７）。
【００９３】
前記ＣＣの値を比較した結果、２つの値の差が１の場合（ＣＣ差＝１）、端末は、復号化及び更新する該当ＳＰ  ＩＥをＳＰ変更ビットマップのビットが１に設定されたＳＰ  ＩＥであると判断する。そして、端末は、該当ＳＰ  ＩＥを復号化及び更新する（Ｓ８１１）。
【００９４】
その後、端末は、変更されたＳ−ＳＦＨ  ＣＣの値を保存する（Ｓ８１７）。
【００９５】
本発明の実施形態によれば、端末は、ＣＣ及びＣＢの値と共に各Ｓ−ＳＦＨ  ＳＰのスケジューリング周期（ｓｃｈｅｄｕｌｉｎｇ  ｐｅｒｉｏｄｉｃｉｔｉｅｓ）情報を利用してシステム情報を更新することができる。
【００９６】
前記Ｓ−ＳＦＨ  ＳＰのスケジューリング周期情報は、（１）Ｐ−ＳＦＨで、（２）異なるＳ−ＳＦＨ  ＳＰのスケジューリング周期情報が伝達される特定のＳ−ＳＦＨ  ＳＰで（すなわち、特定のＳ−ＳＦＨ  ＳＰの周期情報を含む）、（３）ネットワークエントリ過程で送信されるＭＡＣ管理メッセージ（例えば、ＲＮＧ−ＲＥＱ／ＲＳＰ、ＳＢＣ−ＲＥＱ／ＲＳＰ、ＲＥＧ−ＲＥＱ／ＲＳＰ）により、又は（４）予め固定された周期を定義して、端末に送信することができる。
【００９７】
端末は、前述した４つの方法の１つにより、明示的に各Ｓ−ＳＦＨ  ＳＰの送信周期を認識することができる。また、端末は、各Ｓ−ＳＦＨ  ＳＰを少なくとも２回以上受信することにより、黙示的に各Ｓ−ＳＦＨ  ＳＰの送信周期を知ることができる。端末は、このように認識した各Ｓ−ＳＦＨ  ＳＰの送信周期情報が変更されるまでその情報が有効であると判断する。
【００９８】
図９は、本発明の一実施形態によるスリープモード／アイドルモードにある端末のＳ−ＳＦＨ更新過程を示す図である。
【００９９】
図示のように、端末は、変更されたＳ−ＳＦＨ  ＳＰが送信されるスーパーフレーム１において非リッスン区間にあるため、スーパーフレーム１においては前記変更されたＳ−ＳＦＨ  ＳＰ（９０１）を受信することができない。端末は、スーパーフレーム２においてリッスン区間にある。そして、端末は、スーパーフレーム３及び４において非リッスン区間に進入する。
【０１００】
このように、スリープ状態又はアイドル状態の端末がリッスン区間で変更されたＳ−ＳＦＨ  ＳＰの全てを受信することができなかった場合、当該端末は、変更されたＳ−ＳＦＨ  ＳＰの送信周期情報を利用して、非リッスン区間（節電／スリープ区間）で、当該Ｓ−ＳＦＨ  ＳＰが送信される次のスーパーフレームにおいて起動しなければならない。当該端末は、当該Ｓ−ＳＦＨ  ＳＰが送信される次の最初のスーパーフレームにおいて起動することが好ましい。すなわち、端末は、変更されたＳ−ＳＦＨ  ＳＰの送信周期情報を利用して、更新する必要のないＳ−ＳＦＨ  ＳＰのみ送信されるスーパーフレームにおいては起動しなくてもよい。Ｓ−ＳＦＨ  ＳＰを更新した後、端末は、残りの非リッスン区間で、１つ以上の物理的装置の電源を切ったり、基地局との通信を要しない他の動作を行うことができる。
【０１０１】
保存されたＣＣ及びＣＢの値が２５及び「０００」であり、非リッスン区間とリッスン区間が図９に示すように決定されていると仮定すると、端末は、スーパーフレーム２において起動してＰ−ＳＦＨを復号化し、当該スーパーフレーム２のＣＣ及びＣＢによりＳ−ＳＦＨ  ＳＰ１が変更されたことを認識する。しかしながら、当該リッスン区間であるスーパーフレーム２においては変更されたＳ−ＳＦＨ  ＳＰ１は送信されない。よって、Ｓ−ＳＦＨ  ＳＰ１の送信周期情報により、変更されたＳ−ＳＦＨ  ＳＰ１がスーパーフレーム４において送信されることを認識した場合は、スーパーフレーム４が非リッスン区間に含まれるが、端末は、当該スーパーフレーム４において起動して当該Ｓ−ＳＦＨ  ＳＰ１を復号化及び更新する。
【０１０２】
もし、変更されたＳ−ＳＦＨ  ＳＰの送信周期情報を利用して非リッスン区間内で該当Ｓ−ＳＦＨ  ＳＰが送信されると予測したスーパーフレームにおいて該当Ｓ−ＳＦＨ  ＳＰを受信していない場合、端末は、該当Ｓ−ＳＦＨ  ＳＰを全て受信するまで起動状態を維持しなければならないので、節電状態に移行してはならない。もし、端末が変更されたＳ−ＳＦＨ  ＳＰを受信する前にＳ−ＳＦＨ  ＳＰの送信周期情報を先に受信した場合、端末は、変更されたＳ−ＳＦＨ  ＳＰを更新するために、当該送信周期情報を利用することができる。
【０１０３】
以下、端末が送信された各Ｓ−ＳＦＨ  ＳＰを効率的に検出できるようにスケジューリング周期情報を送信する方法、及びこれを用いてシステム情報を更新する方法を説明する。
【０１０４】
端末に通知するＳ−ＳＦＨ  ＳＰの送信に関する情報が各Ｓ−ＳＦＨ  ＳＰの送信周期のみを含む場合、端末は、各Ｓ−ＳＦＨ  ＳＰの送信を頻繁に検出しなければ、前記Ｓ−ＳＦＨ  ＳＰの送信を知ることができない。また、各Ｓ−ＳＦＨ  ＳＰの送信周期が変更された場合、端末は、前記Ｓ−ＳＦＨ  ＳＰで送信されるシステム情報が変更されていないにもかかわらず、各Ｓ−ＳＦＨ  ＳＰの送信を少なくとも１回検出しなければならない。各Ｓ−ＳＦＨ  ＳＰの送信時間を検出するために、端末は、スーパーフレーム時間毎にスキャン動作を行わなければならず、このような頻繁なスキャン動作は節電のためにスリープ状態又はアイドル状態にある端末において非効率的である。
【０１０５】
本発明においては、各Ｓ−ＳＦＨ  ＳＰの送信時間の効率的な検出のために、基地局が端末に各Ｓ−ＳＦＨ  ＳＰのスケジューリング周期情報だけでなく、送信オフセット情報も通知する方法を提案する。前記スケジューリング情報は、前記Ｓ−ＳＦＨ  ＳＰの送信間隔を示し、前記オフセット情報は、前記スケジューリング情報を送信するスーパーフレームからの間隔により前記Ｓ−ＳＦＨ  ＳＰの送信されるスーパーフレームを示す。各Ｓ−ＳＦＨ  ＳＰは、テーブル状に構成されるスケジューリング情報及びオフセット情報を有する。下記表１は各Ｓ−ＳＦＨ  ＳＰのスケジューリング周期情報を示すものである。
【０１０６】
【表１】
0005269212.tif 000002
表１に示した通り、周期設定インデックスが０に設定された場合、ＳＰ１のスケジューリング周期は４０ｍｓ、ＳＰ２のスケジューリング周期は８０ｍｓ、かつＳＰ３のスケジューリング周期は１６０ｍｓである。また、周期設定インデックスが１に設定された場合、ＳＰ１のスケジューリング周期は８０ｍｓ、ＳＰ２のスケジューリング周期は１６００ｍｓ、かつＳＰ３のスケジューリング周期は３２０ｍｓである。
【０１０７】
前記送信オフセット情報は、送信スケジューリング周期の設定に応じてテーブル状に構成してもよい。
【０１０８】
図１０は、本発明の一実施形態による周期設定インデックスが０の場合におけるＰ−ＳＦＨで送信される送信オフセット情報を示す図である。
【０１０９】
図１０に示す本実施形態においては、各Ｓ−ＳＦＨ  ＳＰの開始スーパーフレームに関係なく、同一のオフセット値を有するオフセットのセットが存在する。図１０に示すように、周期設定インデックスが０の場合、オフセットのセットの数は８であり、スーパーフレームの送信周期は２０ｍｓである。すなわち、全スーパーフレームにわたって、スーパーフレーム＃０から＃７まで８つのオフセットのセットが繰り返される。よって、８つの送信オフセットのセットを定義するためのオフセット情報は、３ビットで構成することができる。
【０１１０】
図１０を参照すると、ＳＰ１及び各ＳＰのオフセット情報はスーパーフレーム＃０で送信される。現在のスーパーフレーム＃０でＳＰ１が送信されることを示すようにＳＰ１のオフセットは０であり、ＳＰ２の送信時間が現在のスーパーフレーム＃０の次のスーパーフレーム（スーパーフレーム＃１）であることを示すようにＳＰ２のオフセットは１であり、ＳＰ３の送信時間が現在のスーパーフレーム＃０から３番目のスーパーフレーム（スーパーフレーム＃３）であることを示すようにＳＰ３のオフセットは３である。端末は前記オフセット情報に基づいて各ＳＰの正確な送信時間を検出することができる。
【０１１１】
図１１は、本発明の一実施形態による周期設定インデックスが１の場合におけるＰ−ＳＦＨで送信される送信オフセット情報を示す図である。
【０１１２】
図１１に示す本実施形態においては、各Ｓ−ＳＦＨ  ＳＰの開始スーパーフレームによって、異なるオフセット値を有するオフセットのセットが存在する。場合によっては、端末は周期情報、オフセット設定インデックス、及びＳ−ＳＦＨサイズを利用してＳ−ＳＦＨ  ＳＰの各スケジューリング情報を認識することができるため、基地局はＳ−ＳＦＨスケジューリング情報ビットマップを送信しないこともある。もし、基地局が端末にどのＳ−ＳＦＨ  ＳＰも送信しなければ、Ｐ−ＳＦＨ内のＳ−ＳＦＨサイズは０である。基地局は、Ｓ−ＳＦＨ  ＳＰの送信のために、インデックス又はタイプ情報を含む各Ｓ−ＳＦＨ  ＳＰを送信することができる。端末は、受信したＳ−ＳＦＨ  ＳＰを復号化し、Ｓ−ＳＦＨ  ＳＰのインデックス又はタイプ情報により、前記受信したＳＰがＳＰ１、ＳＰ２、又はＳＰ３であることを認識することができる。端末は、当該Ｓ−ＳＦＨ  ＳＰのスケジューリング周期情報により、Ｓ−ＳＦＨ  ＳＰの送信時間を認識することができる。また、端末は、他のＳ−ＳＦＨ  ＳＰ  ＩＥを復号化しなくても、送信オフセットにより、他のＳ−ＳＦＨ  ＳＰの送信されたスーパーフレームを認識することができる。
【０１１３】
図１２は、本発明の一実施形態による周期設定インデックスが０の場合におけるＳ−ＳＦＨ  ＳＰ１で送信される送信オフセット情報を示す図である。
【０１１４】
図１２に示す本実施形態においては、各Ｓ−ＳＦＨ  ＳＰの開始スーパーフレームに関係なく、同一のオフセット値を有するオフセットのセットが存在する。図１２に示すように、周期設定インデックスが０であり、スーパーフレームの送信周期が２０ｍｓである場合、オフセットのセットの数は４である。すなわち、全スーパーフレームにわたって、スーパーフレーム＃０、スーパーフレーム＃２、スーパーフレーム＃４、及びスーパーフレーム＃６の４つのオフセットのセットが繰り返される。４つのオフセットのセットを定義するためのオフセット情報は、２ビットで構成することができる。２ビットのオフセットの構成は、Ｓ−ＳＦＨ  ＳＰ１のオフセットを含むこともある。
【０１１５】
下記表２は本発明の一実施形態による周期設定インデックスが０の場合におけるＳ−ＳＦＨ  ＳＰ１で送信される２ビットのオフセットの構成を示すものである。
【０１１６】
【表２】
0005269212.tif 000003
図１３は、本発明の一実施形態による周期設定インデックスが１の場合におけるＳ−ＳＦＨ  ＳＰ１で送信される送信オフセット情報を示す図である。
【０１１７】
図１３に示す本実施形態においては、各Ｓ−ＳＦＨ  ＳＰの開始スーパーフレームによって、異なるオフセット値を有するオフセットのセットが存在するため、各Ｓ−ＳＦＨ  ＳＰの開始スーパーフレームによって、全てのオフセットのセットを定義しなければならない。
【０１１８】
図１３に示すように、スーパーフレーム＃０でＳＰ１が送信される場合、ＳＰ２の送信時間が現在のスーパーフレーム＃０の次のスーパーフレーム（スーパーフレーム＃１）であることを示し、ＳＰ３の送信時間が現在のスーパーフレーム＃０から２番目のスーパーフレーム（スーパーフレーム＃２）であることを示すように、ＳＰ２及びＳＰ３のオフセットがＳＰ１で送信される。端末は前記オフセット情報に基づいて各ＳＰの正確な送信時間を検出することができる。
【０１１９】
図１４は、本発明の一実施形態による周期設定インデックスが０の場合におけるＳ−ＳＦＨ  ＳＰ２で送信される送信オフセット情報を示す図である。
【０１２０】
図１４に示す本実施形態においては、各Ｓ−ＳＦＨ  ＳＰの開始スーパーフレームに関係なく、同一のオフセット値を有するオフセットのセットが存在する。図１４に示すように、周期設定インデックスが０であり、スーパーフレームの送信周期が２０ｍｓである場合、オフセットのセットの数は２である。すなわち、全スーパーフレームにわたって、スーパーフレーム＃１及びスーパーフレーム＃５の２つのオフセットのセットが繰り返される。２つのオフセットのセットを定義するためのオフセット情報は、１ビットで構成することができる。１ビットのオフセットの構成は、Ｓ−ＳＦＨ  ＳＰ２のオフセットを含むこともある。
【０１２１】
下記表３は本発明の一実施形態による周期設定インデックスが０の場合におけるＳ−ＳＦＨ  ＳＰ２で送信される１ビットのオフセットの構成を示すものである。
【０１２２】
【表３】
0005269212.tif 000004
図１５は、本発明の一実施形態による周期設定インデックスが１の場合におけるＳ−ＳＦＨ  ＳＰ２で送信される送信オフセット情報を示す図である。
【０１２３】
図１５に示す本実施形態においては、各Ｓ−ＳＦＨ  ＳＰの開始スーパーフレームによって、異なるオフセット値を有するオフセットのセットが存在するため、各Ｓ−ＳＦＨ  ＳＰの開始スーパーフレームによって、全てのオフセットのセットを定義しなければならない。
【０１２４】
図１５に示すように、スーパーフレーム＃１でＳＰ２が送信される場合、ＳＰ１の送信時間が現在のスーパーフレーム＃１から３番目のスーパーフレーム（スーパーフレーム＃４）であることを示し、ＳＰ３の送信時間が現在のスーパーフレーム＃１の次のスーパーフレーム（スーパーフレーム＃２）であることを示すように、ＳＰ１及びＳＰ３のオフセットがＳＰ２で送信される。端末は前記オフセット情報に基づいて各ＳＰの正確な送信時間を検出することができる。
【０１２５】
図１６は、本発明の一実施形態による周期設定インデックスが０の場合におけるＳ−ＳＦＨ  ＳＰ３で送信される送信オフセット情報を示す図である。
【０１２６】
図１６に示す本実施形態においては、各Ｓ−ＳＦＨ  ＳＰの開始スーパーフレームに関係なく、同一のオフセット値を有するオフセットのセットが存在する。図１６に示すように、周期設定インデックスが０であり、スーパーフレームの送信周期が２０ｍｓである場合、オフセットのセットの数は１である。すなわち、全スーパーフレームにわたって、スーパーフレーム＃３のオフセットのセットが繰り返される。前記オフセットのセットを定義するためのオフセット情報は、１ビットで構成することができる。１ビットのオフセットの構成は、Ｓ−ＳＦＨ  ＳＰ３のオフセットを含むこともある。
【０１２７】
しかしながら、周期設定インデックスが１の場合、各Ｓ−ＳＦＨ  ＳＰの開始スーパーフレームによって、異なるオフセット値を有するＳ−ＳＦＨ  ＳＰ３で送信されるオフセットのセットが存在するため、各Ｓ−ＳＦＨ  ＳＰの開始スーパーフレームによって、全てのオフセットのセットを定義しなければならない。周期設定インデックスが１の場合、オフセットのセットの数は１５でもよい。下記表４は周期設定インデックスが１の場合におけるＳ−ＳＦＨ  ＳＰ３で送信される４ビットのオフセットの構成を示すものである。
【０１２８】
【表４】
0005269212.tif 000005
図１７は、本発明の一実施形態によるＳ−ＳＦＨ  ＳＰ３で送信される統合された送信オフセットのセットを示す図である。
【０１２９】
図１７に示すように、各周期設定インデックスに応じたオフセットのセットは、１つの統合されたテーブルで構成してもよい。重複したオフセット値、例えば周期設定インデックス０のオフセット「０」と周期設定インデックス１のオフセット「００００」とは、実質的に等しい値であるので１つのオフセット値に統合される。
【０１３０】
本発明の他の実施形態によれば、送信オフセット情報は、明確な情報ではなく、簡略化された情報でもよい。簡略化されたオフセット情報は、周期情報及びオフセット情報を送信する特定のＳ−ＳＦＨ  ＳＰの送信周期をｎ個の区間に分け、他のＳ−ＳＦＨ  ＳＰの送信区間を概略的に示す。
【０１３１】
図１８は、本発明の一実施形態によるＳ−ＳＦＨ  ＳＰ３で送信される簡略化された送信オフセット情報を示す図である。
【０１３２】
図１８に示すように、Ｓ−ＳＦＨ  ＳＰ３の周期は２つの区間（第１の区間及び第２の区間）に分けられ、簡略化されたオフセット情報は前記分けられた区間表示を用いてＳ−ＳＦＨ  ＳＰ１の送信区間とＳ−ＳＦＨ  ＳＰ２の送信区間を概略的に示す。Ｓ−ＳＦＨ  ＳＰ１の第１の送信時間がおよそ第１の区間にあることを示すＳ−ＳＦＨ  ＳＰ１のオフセットは０であり、Ｓ−ＳＦＨ  ＳＰ２の第１の送信時間がおよそ第２の区間にあることを示すＳ−ＳＦＨ  ＳＰ２のオフセットは１である。端末は、スーパーフレーム＃２でＳＰ１の簡略化されたオフセット情報を受信し、ＳＰ１の前記簡略化されたオフセット情報が第１の区間を示すので、前記情報を受信した後にスキャンし続けることにより、ＳＰ１で送信されたシステム情報を検出することができる。次に、端末は、ＳＰ１で送信されたシステム情報を復号化及び更新する。ＳＰ２で送信されたシステム情報を更新する必要がある場合、端末は、スーパーフレーム＃２でＳＰ２の簡略化されたオフセット情報を受信し、第２の区間でスキャンすることにより、ＳＰで送信されたシステム情報を検出することができる。電力消費を抑えるために、端末は第１の区間でマイクロスリープモードを実行することが好ましい。
【０１３３】
本発明のさらに他の実施形態によれば、基地局は、送信周期情報を送信するスーパーフレームからの間隔により各Ｓ−ＳＦＨ  ＳＰの送信時間を示すこともできる。
【０１３４】
図１９は、本発明の一実施形態によるＳ−ＳＦＨ  ＳＰの送信周期情報及び送信オフセット情報を示す方法を示す図である。
【０１３５】
図１９に示すように、スケジューリング周期情報及びオフセット情報は、スーパーフレーム＃６でＳＰ３により送信され、Ｓ−ＳＦＨ  ＳＰ１は、スーパーフレーム＃６より３つ前のスーパーフレーム（スーパーフレーム＃３）で送信され、７つのスーパーフレーム周期で送信される。よって、基地局は、Ｓ−ＳＦＨ  ＳＰ１に関するオフセット情報として「−３」を、さらに周期情報として７を端末に送信する。Ｓ−ＳＦＨ  ＳＰ２は、スーパーフレーム＃６より２つ後のスーパーフレーム（スーパーフレーム＃８）で送信され、１０個のスーパーフレーム周期で送信される。よって、基地局は、Ｓ−ＳＦＨ  ＳＰ２に関するオフセット情報として「＋２」を、さらに周期情報として１０を端末に送信する。端末は、Ｓ−ＳＦＨ  ＳＰ１及びＳ−ＳＦＨ  ＳＰ２に関するオフセット情報と周期情報とを含むスーパーフレーム＃６でＳ−ＳＦＨ  ＳＰ３を受信し、スキャン動作を行うことなく、ＳＰ１及びＳＰ２の送信時間を認識する。
【０１３６】
本発明のさらに他の実施形態によれば、端末は、各Ｓ−ＳＦＨ  ＳＰのスケジューリング周期情報を利用して、変更されたシステム情報を更新することができる。変更されたＳ−ＳＦＨ  ＳＰを非リッスン区間でスケジューリングされたスーパーフレームで受信していないことが端末により検出されたとすると、これは、当該Ｓ−ＳＦＨ  ＳＰの送信周期が変更され、その送信周期を含むＳ−ＳＦＨ  ＳＰ３が変更されたことを意味する。この場合、端末は、変更されたＳ−ＳＦＨ  ＳＰを受信するまで起動した状態である（正常モード）。
【０１３７】
端末は、変更されたＳ−ＳＦＨ  ＳＰを受信する前にスケジューリング周期情報を受信した場合、変更されたＳ−ＳＦＨ  ＳＰを更新するために、前記スケジューリング周期情報を利用することもできる。すなわち、端末は、変更されていないＳ−ＳＦＨ  ＳＰを送信するスーパーフレームではスキャン動作を省略することもできる。
【０１３８】
図２０は、変更されたＳ−ＳＦＨ  ＳＰが最終のＳＰスケジューリング周期情報に定義された通りスケジューリングされていないことを端末が検出した場合における、本発明の一実施形態によるＳ−ＳＦＨの更新方法を示す図である。
【０１３９】
前述したように、ＣＣ及びＣＢは、基地局からＰ−ＳＦＨで各スーパーフレーム毎に送信され、端末は、そのメモリにＣＣ及びＣＢを保存する。最後に受信されて保存されたＣＣは２５であり、ＣＢは「０００」である。
【０１４０】
端末は、スーパーフレーム＃１でＣＢ１０１によりＳ−ＳＦＨ  ＳＰ１及びＳＰ３の変更を認識する。端末は、スケジューリング周期情報及びオフセット情報を利用して、スーパーフレーム＃５でのＳ−ＳＦＨ  ＳＰ１の送信とスーパーフレーム＃１０でのＳ−ＳＦＨ  ＳＰ３の送信を予測する。ＳＰ１及びＳＰ３の送信時間が非リッスン区間（節電／スリープ区間）に含まれる場合、端末は、スーパーフレーム＃５で節電状態から起動する。しかしながら、端末は、Ｓ−ＳＦＨ  ＳＰ１が最終のスケジューリング周期情報に定義されたスーパーフレーム＃５にスケジューリングされていないか、黙示的に認識されたことを検出した場合、スーパーフレーム＃６から、Ｓ−ＳＦＨ  ＳＰ１及びＳＰ３を検出するためにスキャン動作を続けてＰ−ＳＦＨを確認する。端末は、Ｐ−ＳＦＨを確認することにより、ＳＦＨスケジューリング情報ビットマップに基づいて、スーパーフレーム＃６からスーパーフレーム＃８までＳ−ＳＦＨ  ＳＰ１及びＳＰ３がスケジューリングされていないことを認識することができる。端末は、ウェイクアップモードでスキャン動作を続け、スーパーフレーム＃９でＳ−ＳＦＨ  ＳＰ１を受信し、スーパーフレーム＃１０でＳ−ＳＦＨ  ＳＰ３を受信する。
【０１４１】
図２１は、変更されたＳ−ＳＦＨ  ＳＰが最終のＳＰスケジューリング周期情報に定義された通りスケジューリングされていないことを端末が検出した場合における、本発明の他の実施形態によるＳ−ＳＦＨの更新方法を示す図である。
【０１４２】
端末は、スーパーフレーム＃１０でＳ−ＳＦＨ  ＳＰ１を受信する前に、スーパーフレーム＃８でＳ−ＳＦＨ  ＳＰ３によりＳ−ＳＦＨ  ＳＰ１のスケジューリング周期情報及びオフセット情報を受信した場合、前記受信したＳ−ＳＦＨ  ＳＰ１のスケジューリング周期情報及びオフセット情報に基づいて、スーパーフレーム＃１０でのＳ−ＳＦＨ  ＳＰ１の送信時間を認識することができる。よって、端末は、スーパーフレーム＃９で送信されるＰ−ＳＦＨを確認しない。
【０１４３】
図２２は、変更されたＳ−ＳＦＨ  ＳＰが最終のＳＰスケジューリング周期情報に定義された通りスケジューリングされていないことを端末が検出した場合における、本発明のさらに他の実施形態によるＳ−ＳＦＨの更新方法を示す図である。
【０１４４】
端末は、変更されたＳ−ＳＦＨ  ＳＰが定義された送信時間の通りスケジューリングされていないことを認識した場合、スケジューリング周期情報を送信するＳ−ＳＦＨ  ＳＰ３を受信する。図２０の場合と同様に、最後に受信されて保存されたＣＣは２５であり、ＣＢは「０００」である。
【０１４５】
端末は、スーパーフレーム＃１でＣＢ１０１によりＳ−ＳＦＨ  ＳＰ１及びＳＰ３の変更を認識する。端末は、スケジューリング周期情報及びオフセット情報を利用して、スーパーフレーム＃５でのＳ−ＳＦＨ  ＳＰ１の送信とスーパーフレーム＃８でのＳ−ＳＦＨ  ＳＰ３の送信を予測する。ＳＰ１及びＳＰ３の送信時間が非リッスン区間（節電／スリープ区間）に含まれる場合、端末は、スーパーフレーム＃５で節電状態から起動する。しかしながら、端末は、Ｓ−ＳＦＨ  ＳＰ１が最終のスケジューリング周期情報に定義されたスーパーフレーム＃５にスケジューリングされていないことを検出した場合、スーパーフレーム＃６から、Ｐ−ＳＦＨの確認のためのスキャン動作を行うことなく、Ｓ−ＳＦＨ  ＳＰ３が送信されるように既にスケジューリングされているスーパーフレーム＃８のみを確認する。端末は、スーパーフレーム＃８でＳ−ＳＦＨ  ＳＰ３により送信されるスケジューリング周期情報及びオフセット情報に基づいて、スーパーフレーム＃１０でのＳ−ＳＦＨ  ＳＰ１の送信時間を認識し、その後、スーパーフレーム＃１０で起動してＳ−ＳＦＨ  ＳＰ１を受信する。
【０１４６】
本発明のさらに他の実施形態によれば、Ｓ−ＳＦＨ  ＳＰのスケジューリング周期が変更された場合、基地局は、所定の期間の間、変更されたスケジューリング周期だけでなく、以前のスケジューリング周期においても、前記Ｓ−ＳＦＨ  ＳＰを送信することができる。
【０１４７】
図２３は、ＳＰスケジューリング周期情報が変更された場合における、本発明の一実施形態によるＳ−ＳＦＨ  ＳＰの更新方法を示す図である。
【０１４８】
前述したように、ＣＣ及びＣＢは、基地局からＰ−ＳＦＨで各スーパーフレーム毎に送信され、端末は、そのメモリにＣＣ及びＣＢを保存する。最後に受信されて保存されたＣＣは２５であり、ＣＢは「０００」である。端末は、スーパーフレーム＃１でＣＢ１０１によりＳ−ＳＦＨ  ＳＰ１及びＳＰ３の変更を認識する。端末は、スケジューリング周期情報及びオフセット情報を利用して、スーパーフレーム＃５でのＳ−ＳＦＨ  ＳＰ１の送信とスーパーフレーム＃８でのＳ−ＳＦＨ  ＳＰ３の送信を予測する。ＳＰ１及びＳＰ３の送信時間が非リッスン区間（節電／スリープ区間）に含まれる場合、端末は、スーパーフレーム＃５で節電状態から起動する。
【０１４９】
端末は、スーパーフレーム＃５でＳ−ＳＦＨ  ＳＰ１を受信し、スーパーフレーム＃８でＳ−ＳＦＨ  ＳＰ３を受信する。スーパーフレーム＃８で、Ｓ−ＳＦＨ  ＳＰ１の送信周期及びオフセットが変更された場合、端末は、Ｓ−ＳＦＨ  ＳＰ３に基づいて、Ｓ−ＳＦＨ  ＳＰ１の変更された送信周期及びオフセット情報を認識することができる。次に、端末は、スーパーフレーム＃１０で送信時間が変更されたＳ−ＳＦＨ  ＳＰ１を受信することができる。
【０１５０】
図２４は、ＳＰスケジューリング周期情報が変更された場合における、本発明の他の実施形態によるＳ−ＳＦＨ  ＳＰの更新方法を示す図である。
【０１５１】
Ｓ−ＳＦＨ  ＳＰ１又はＳＰ２の送信時間が変更された場合、基地局は、所定の期間の間、その送信区間が変更された、既にスケジューリングされているＳ−ＳＦＨ  ＳＰ１又はＳＰ２の代わりに、Ｓ−ＳＦＨ  ＳＰ３を送信することができる。
【０１５２】
前述したように、ＣＣ及びＣＢは、基地局からＰ−ＳＦＨで各スーパーフレーム毎に送信され、端末は、そのメモリにＣＣ及びＣＢを保存する。最後に受信されて保存されたＣＣは２５であり、ＣＢは「０００」である。端末は、スーパーフレーム＃１でＣＢ１０１によりＳ−ＳＦＨ  ＳＰ１及びＳＰ３の変更を認識する。端末は、スケジューリング周期情報及びオフセット情報を利用して、スーパーフレーム＃５でのＳ−ＳＦＨ  ＳＰ１の送信とスーパーフレーム＃８でのＳ−ＳＦＨ  ＳＰ３の送信を予測する。ＳＰ１及びＳＰ３の送信時間が非リッスン区間（節電／スリープ区間）に含まれる場合、端末は、スーパーフレーム＃５で節電状態から起動する。
【０１５３】
端末は、図２４に示すように、スーパーフレーム＃５で、Ｓ−ＳＦＨ  ＳＰ１の代わりにＳ−ＳＦＨ  ＳＰ３を受信する。端末は、Ｓ−ＳＦＨ  ＳＰ３に基づいて、スーパーフレーム＃１０で送信区間が変更されたＳ−ＳＦＨ  ＳＰ１の送信時間を認識することができる。よって、端末は、スーパーフレーム＃１０でＳ−ＳＦＨ  ＳＰ１を正常に受信することができる。
【０１５４】
図２５は、本発明の一実施形態によるシステム情報更新動作を行う端末を概略的に示すブロック図である。
【０１５５】
システム情報更新動作を行う端末は、送信機１０、受信機２０、復号器３０、制御装置４０、及びメモリ５０を含む。
【０１５６】
受信機２０は、基地局から、データ、システム情報、及び前記システム情報の変更状態を示す変更情報を、Ｐ−ＳＦＨ及び少なくとも１つのＳ−ＳＦＨ  ＳＰを含むスーパーフレームで受信する。
【０１５７】
前記変更情報は、変更カウント（ＣＣ）及び変更ビットマップ（ＣＢ）を含む。前述したように、ＣＣ及びＣＢは、基地局からＰ−ＳＦＨで各スーパーフレーム毎に送信され、端末は、そのメモリ５０にＣＣ及びＣＢを保存する。さらに、サブパケットの送信周期を示すスケジューリング周期情報は、所定のサブパケット又はＰ−ＳＦＨで送信される。
【０１５８】
復号器３０は、前記受信したスーパーフレームにおいてＳ−ＳＦＨのスケジューリング情報ビットマップ、変更カウント、及びサブパケット（ＳＰ）変更ビットマップを含むＰ−ＳＦＨ情報要素（ＩＥ）を復号化する。
【０１５９】
制御装置４０は、前記サブパケットにより送信される変更されたシステム情報が、前記スケジューリング周期情報が示す通りスケジューリングされていないことを検出し、その変更されたシステム情報を受信するまでシステム動作モードをウェイクアップモードに制御する。端末が前記Ｓ−ＳＦＨ  ＳＰを受信する前にＰ−ＳＦＨ又は特定のＳ−ＳＦＨ  ＳＰでスケジューリング周期情報を受信した場合、その情報を利用して、Ｓ−ＳＦＨ  ＳＰで送信された前記変更されたシステム情報を更新することができる。
【０１６０】
制御装置４０は、メモリ５０に保存された変更カウント及び変更ビットマップと前記受信した変更カウント及び変更ビットマップとを比較し、Ｓ−ＳＦＨ  ＳＰの情報要素を復号化及び更新する動作を制御する。また、制御装置４０は、メモリ５０に保存された変更カウントと前記受信した変更カウントとを比較し、２つの値に差がない場合は、Ｓ−ＳＦＨ情報要素を復号化しないが、２つの値に差がある場合は、メモリ５０に保存されたＳＰ変更ビットマップと前記受信したＳＰ変更ビットマップとを比較する。
【０１６１】
前述したように、制御装置４０は、前記メモリに保存されたＳＰ変更ビットマップと前記受信したＳＰ変更ビットマップとを比較し、トグルされたビットの数が前記変更カウント間の差値と等しい場合は、受信したスーパーフレームにおいてトグルされたビット位置に該当するＳ−ＳＦＨ  ＳＰを復号化し、トグルされたビットの数が前記変更カウント間の差値と異なる場合は、前記スーパーフレームの全てのＳ−ＳＦＨ  ＳＰを復号化する。又は、変更されたＳ−ＳＦＨ  ＳＰに対応するビットの値のみを「１」に設定し、残りのビットを「０」に設定した場合、制御装置４０は、受信したスーパーフレームにおいてビット値「１」を有するＳ−ＳＦＨ  ＳＰを復号化する。
【０１６２】
前述したように、本発明による装置は、前述した構成要素の他に、本発明の技術的思想の実現に必要なソフトウェア及びハードウェア、例えば出力装置（ディスプレイ、スピーカなど）、入力装置（キーパッド、マイクなど）、メモリ、送受信部（ＲＦモジュール、アンテナなど）などを基本的に含む。これらの構成要素については、当業者にとって自明な事項であるので、その詳細な説明は省略する。
【０１６３】
本発明の実施形態において、前述した方法は、ソフトウェア、ハードウェア、又はそれらの組み合わせとして実現してもよい。例えば、本発明による方法は、記憶媒体（例えば、移動端末の内部メモリ、フラッシュメモリ、ハードディスクなど）に保存することができ、プロセッサ（例えば、移動端末の内部マイクロプロセッサ）により実行されるソフトウェアプログラム内にコード又はコマンドで実現することができる。
【０１６４】
本発明の思想や基本的な特性から外れない限り、本発明は様々な形態で実現することができ、前述した実施形態は前述したいかなる詳細な記載内容によっても限定されず、特に言及がなければ、添付された請求の範囲に定義された思想や範囲内で広く解釈されるべきであり、請求の範囲内で行われるあらゆる変更及び変形、あるいはその均等物も添付された請求の範囲に含まれる。
【図１】
0005269212.tif 000006
【図２】
0005269212.tif 000007
【図３】
0005269212.tif 000008
【図４】
0005269212.tif 000009
【図５】
0005269212.tif 000010
【図６】
0005269212.tif 000011
【図７】
0005269212.tif 000012
【図８】
0005269212.tif 000013
【図９】
0005269212.tif 000014
【図１０】
0005269212.tif 000015
【図１１】
0005269212.tif 000016
【図１２】
0005269212.tif 000017
【図１３】
0005269212.tif 000018
【図１４】
0005269212.tif 000019
【図１５】
0005269212.tif 000020
【図１６】
0005269212.tif 000021
【図１７】
0005269212.tif 000022
【図１８】
0005269212.tif 000023
【図１９】
0005269212.tif 000024
【図２０】
0005269212.tif 000025
【図２１】
0005269212.tif 000026
【図２２】
0005269212.tif 000027
【図２３】
0005269212.tif 000028
【図２４】
0005269212.tif 000029
【図２５】
0005269212.tif 000030